(57)【特許請求の範囲】
【請求項１】
外壁の高さ方向に沿って長尺な竪樋本体と、
外壁の高さ方向に沿って点在するとともに、頭部が外壁面から突出するようにして設けられる複数の杆状体と、
これら竪樋本体と杆状体との間に設けられるとともに、これら竪樋本体と杆状体とを係合させる係合手段とからなる竪樋において、
前記係合手段は、前記竪樋本体の長さ方向に沿って長尺に形成されるとともに、前記竪樋本体の側面に、互いに所定間隔離間するようにして突設される２本の突条と、
これら２本の突条の内側面にそれぞれ突設されるとともに、これら突条の長さ方向に沿って長尺に形成される係止部と、
前記杆状体の頭部に設けられるとともに、前記２本の突条間に挿入されて、側端部に前記係止部が引っ掛けられる被係止部とを備えており、
前記被係止部は、前記杆状体の頭部に取り付けられる板状の中央部と、この中央部の両側端部に設けられるとともに前記杆状体の長さ方向に沿って、かつ前記外壁に向かって突出し、前記係止部が引っ掛けられる突出部とを有することによって断面略コ字型に形成されていることを特徴とする竪樋。
【請求項２】
請求項１に記載の竪樋において、
前記２本の突条の突出方向先端部には、これら２本の突条の突出方向に沿って所定の長さ突出する突出片がそれぞれ一体的に設けられており、
この突出片の外側面は、前記突条の外側面と面一になっていることを特徴とする竪樋。
【請求項３】
請求項１または２に記載の竪樋において、
前記係止部は、この係止部の突出方向先端部に位置する頂部と、
この頂部を介して隣り合う第１および第２傾斜部とからなり、
前記第１傾斜部は、前記突条の突出方向の先端部側に位置するとともに、前記第２傾斜部の傾斜角度よりも緩やかな傾斜角度に設定されており、
前記第２傾斜部は、前記突条の突出方向の基端部側に位置するとともに、前記第１傾斜部の傾斜角度よりも急な傾斜角度に設定されていることを特徴とする竪樋。
【請求項４】
請求項１〜３のいずれか一項に記載の竪樋において、
前記被係止部の前記中央部と双方の突出部との間に位置する角部はそれぞれ丸みを帯びていることを特徴とする竪樋。
【請求項５】
請求項１〜４のいずれか一項に記載の竪樋において、
前記２本の突条は、前記竪樋本体と一体形成されていることを特徴とする竪樋。
【請求項６】
請求項１〜５のいずれか一項に記載の竪樋を外壁の高さ方向に沿って取り付ける竪樋の取付方法であって、
予め、前記複数の杆状体を、前記外壁の高さ方向に沿って点在するとともに、頭部が外壁面から突出するようにして設けておき、
その後、前記竪樋本体と複数の杆状体とを、前記係合手段を介して係合させるに際し、前記竪樋本体を外壁側に押し込むことによって前記２本の突条間に前記被係止部を挿入するとともに、これら被係止部の側端部に前記係止部を引っ掛けることを特徴とする竪樋の取付方法。
【発明の詳細な説明】
【技術分野】
【０００１】
本発明は、外壁の高さ方向に沿って取り付けられる竪樋と、この竪樋の外壁への取付方法に関する。
【背景技術】
【０００２】
従来、建物の外壁に竪樋を取り付ける竪樋取付具として、例えば略半円状の一対の抱持体の一端部同士を枢着するとともに他端部同士を係止連結可能としたバンドと、このバンドに突設されるとともに外壁に打ち込まれる打ち込み杆とを備えるものが知られている（例えば、特許文献１参照）。
このような竪樋取付具を用いて竪樋を外壁に取り付ける際は、まず、バンドを、打ち込み杆を外壁に打ち込むことによって、外壁の高さ方向に点在するようにして複数設ける。さらに、これら複数のバンドの一方の抱持体と他方の抱持体との係止連結状態をそれぞれ解除しておき、その後、外壁の高さ方向に沿って順番に、竪樋を一方の抱持体の内側面に当接させる。そして、他方の抱持体を回転させて、双方の抱持体の他端部同士を係止連結することによって、双方の抱持体によって竪樋を抱持する。
これによって、建物の外壁と竪樋との間隔を一定に保持しながら、この竪樋を外壁に確実に取り付けることができる。
【先行技術文献】
【特許文献】
【０００３】
【特許文献１】特開２００３-３１４００４号公報
【発明の概要】
【発明が解決しようとする課題】
【０００４】
ところが、特許文献１に記載のような竪樋取付具を用いて竪樋を外壁に取り付けるには、上述のように、バンドの一方の抱持体と他方の抱持体とによって竪樋を抱持しなければならないため、作業工程数が多く、手間がかかるという問題がある。
【０００５】
本発明の課題は、外壁への取り付けに際し、作業工程数を減らすことができ、作業性を向上させることが可能な竪樋および竪樋の取付方法を提供することを目的とする。
【課題を解決するための手段】
【０００６】
請求項１に記載の発明は、例えば図１および図２に示すように、外壁１の高さ方向に沿って長尺な竪樋本体１０と、
外壁１の高さ方向に沿って点在するとともに、頭部２０ａが外壁面から突出するようにして設けられる複数の杆状体２０，２０…と、
これら竪樋本体１０と杆状体２０，２０…との間に設けられるとともに、これら竪樋本体１０と杆状体２０，２０…とを係合させる係合手段とからなる竪樋において、
前記係合手段は、前記竪樋本体１０の長さ方向に沿って長尺に形成されるとともに、前記竪樋本体１０の側面に、互いに所定間隔離間するようにして突設される２本の突条１１，１１と、
これら２本の突条１１，１１の内側面にそれぞれ突設されるとともに、これら突条１１，１１の長さ方向に沿って長尺に形成される係止部１２，１２と、
前記杆状体２０，２０…の頭部２０ａ，２０ａ…に設けられるとともに、前記２本の突条１１，１１間に挿入されて、側端部に前記係止部１２，１２が引っ掛けられる被係止部２１，２１…とを備えており、
前記被係止部２１は、前記杆状体２０の頭部２０ａに取り付けられる板状の中央部２１ａと、この中央部２１ａの両側端部に設けられるとともに前記杆状体２０の長さ方向に沿って、かつ前記外壁１に向かって突出し、前記係止部１２，１２が引っ掛けられる突出部２１ｂ，２１ｂとを有することによって断面略コ字型に形成されていることを特徴とする。
【０００７】
請求項１に記載の発明によれば、前記複数の杆状体２０，２０…を、前記外壁１の高さ方向に沿って点在するとともに、頭部２０ａが外壁面から突出するようにして設けてから、前記竪樋本体１０を外壁１側に押し込むことによって前記２本の突条１１，１１間に前記被係止部２１，２１…を挿入するとともに、これら被係止部２１，２１…の側端部に前記係止部１２，１２を引っ掛けるようにして、前記竪樋本体１０と、これら複数の杆状体２０，２０…とを係合させることができる。
すなわち、前記外壁１に取り付けられた複数の杆状体２０，２０…に対して、係合手段を介して、前記竪樋本体１０を係合させるだけで、この竪樋本体１０を前記外壁１に取り付けることができるので、従来に比して作業工程数を減らすことができ、作業性を向上させることが可能となる。
【０００８】
請求項２に記載の発明は、例えば図１に示すように、請求項１に記載の竪樋において、
前記２本の突条１１，１１の突出方向先端部には、これら２本の突条１１，１１の突出方向に沿って所定の長さ突出する突出片１３，１３がそれぞれ一体的に設けられており、
この突出片１３，１３の外側面は、前記突条１１，１１の外側面と面一になっていることを特徴とする。
【０００９】
請求項２に記載の発明によれば、前記２本の突条１１，１１の突出方向先端部には、これら２本の突条１１，１１の突出方向に沿って所定の長さ突出する突出片１３，１３がそれぞれ一体的に設けられているので、これら突出片１３，１３によって、前記竪樋本体１０と外壁１との隙間から前記杆状体２０が見えてしまうことを防ぐことができる。
また、この突出片１３，１３の外側面は、前記突条１１，１１の外側面と面一になっているので、前記突条１１，１１の突出方向先端部に、これら突出片１３，１３が設けられていることが外部から判別しにくくなる。
したがって、前記外壁１に取り付けられた複数の杆状体２０，２０…に対して、係合手段を介して、前記竪樋本体１０を係合させるだけで、前記竪樋本体１０と外壁１との隙間から見える前記杆状体２０を容易に遮蔽することができ、しかも、前記竪樋本体１０と外壁１との間における外観性を向上させることができる。
【００１０】
請求項３に記載の発明は、例えば図１に示すように、請求項１または２に記載の竪樋において、
前記係止部１２は、この係止部１２の突出方向先端部に位置する頂部１２ａと、
この頂部１２ａを介して隣り合う第１および第２傾斜部１２ｂ，１２ｃとからなり、
前記第１傾斜部１２ｂは、前記突条１１の突出方向の先端部側に位置するとともに、前記第２傾斜部１２ｃの傾斜角度よりも緩やかな傾斜角度に設定されており、
前記第２傾斜部１２ｃは、前記突条１１の突出方向の基端部側に位置するとともに、前記第１傾斜部１２ｂの傾斜角度よりも急な傾斜角度に設定されていることを特徴とする。
【００１１】
請求項３に記載の発明によれば、前記第１傾斜部１２ｂは、前記突条１１の突出方向の先端部側に位置するとともに、前記第２傾斜部１２ｃの傾斜角度よりも緩やかな傾斜角度に設定されているので、前記２本の突条１１，１１間に前記被係止部２１を挿入する際に、これら２本の突条１１，１１は、前記第１傾斜部１２ｂ，１２ｂの傾斜に沿って前記被係止部２１が挿入されるのに応じて、互いに離間する方向に撓むことになる。この時、前記第１傾斜部１２ｂの傾斜角度が比較的緩やかに設定されているので、前記２本の突条１１，１１間に前記被係止部２１を挿入しやすい。
さらに、前記第１傾斜部１２ｂ，１２ｂの傾斜に沿って前記被係止部２１が押し込まれ、この被係止部２１が前記頂部１２ａ，１２ａを越えた後、この被係止部２１は、前記第２傾斜部１２ｃ，１２ｃの傾斜に沿って更に奥に挿入される。この時、前記２本の突条１１，１１は、互いに離間する方向に撓んだ状態から元の状態に戻ることになる。
また、前記第２傾斜部１２ｃは、前記突条１１の突出方向の基端部側に位置するとともに、前記第１傾斜部１２ｂの傾斜角度よりも急な傾斜角度に設定されているので、前記竪樋本体１０を取り外す際に、前記２本の突条１１，１１は、前記第２傾斜部１２ｃ，１２ｃの傾斜に沿って前記被係止部２１が引き抜かれるのに応じて、互いに離間する方向に撓むことになる。この時、前記第２傾斜部１２ｃの傾斜角度が比較的急に設定されているので、前記２本の突条１１，１１間から前記被係止部２１を引き抜きにくくなる。
【００１２】
請求項４に記載の発明は、例えば図１に示すように、請求項１〜３のいずれか一項に記載の竪樋において、
前記被係止部２１の前記中央部２１ａと双方の突出部２１ｂ，２１ｂとの間に位置する角部２１ｃ，２１ｃはそれぞれ丸みを帯びていることを特徴とする。
【００１３】
請求項４に記載の発明によれば、前記中央部２１ａと前記突出部２１ｂ，２１ｂとを有することによって断面略コ字型に形成されており、前記中央部２１ａと双方の突出部２１ｂ，２１ｂとの間に位置する角部２１ｃ，２１ｃはそれぞれ丸みを帯びているので、前記２本の突条１１，１１間に前記被係止部２１を挿入する際に、前記２本の突条１１，１１の係止部１２，１２を、前記角部２１ｃ，２１ｃの丸みに沿って摺動させることができ、前記２本の突条１１，１１間に、前記被係止部２１を、より挿入しやすくなる。
【００１４】
請求項５に記載の発明は、例えば図１に示すように、請求項１〜４のいずれか一項に記載の竪樋において、前記２本の突条１１，１１は、前記竪樋本体１０と一体形成されていることを特徴とする。
【００１５】
請求項５に記載の発明によれば、前記２本の突条１１，１１は、前記竪樋本体１０と一体形成されているので、前記竪樋本体１０と２本の突条１１，１１とを別々に製造したり、施工現場などにおいて前記竪樋本体１０と２本の突条１１，１１とを接続したりする手間を省くことができる。
【００１６】
請求項６に記載の発明は、例えば図１および図２に示すように、請求項１〜５のいずれか一項に記載の竪樋を外壁１の高さ方向に沿って取り付ける竪樋の取付方法であって、
予め、前記複数の杆状体２０，２０…を、前記外壁１の高さ方向に沿って点在するとともに、頭部２０ａが外壁面から突出するようにして設けておき、
その後、前記竪樋本体１０と複数の杆状体２０，２０…とを、前記係合手段を介して係合させるに際し、前記竪樋本体１０を外壁１側に押し込むことによって前記２本の突条１１，１１間に前記被係止部２１，２１…を挿入するとともに、これら被係止部２１，２１…の側端部に前記係止部１２，１２を引っ掛けることを特徴とする。
【００１７】
請求項６に記載の発明によれば、例えば前記外壁１を始めとする壁や床、屋根といった住宅の構成要素を予め工場にてパネル化しておき、施工現場でこれらのパネルを組み立てることにより住宅を構築するパネル工法などにおいて、パネル化した前記外壁１に対して、予め、前記複数の杆状体２０，２０…を、前記外壁１の高さ方向に沿って点在するとともに、頭部２０ａが外壁面から突出するようにして設けておくことで、これら複数の杆状体２０，２０…を取り付けた状態で、パネル化した外壁１を現場へ搬送することができるので、現場での作業工程数を減らすことができ、作業性を向上させることができる。
また、このように予め取り付けられた複数の杆状体２０，２０…と、前記竪樋本体１０とを、前記係合手段を介して係合させるに際し、前記竪樋本体１０を外壁１側に押し込むことによって前記２本の突条１１，１１間に前記被係止部２１，２１…を挿入するとともに、これら被係止部２１，２１…の側端部に前記係止部１２，１２を引っ掛けるだけで、前記竪樋本体１０を前記外壁１に取り付けることができるので、従来に比して、より作業工程数を減らすことができ、より作業性を向上させることが可能となる。
【発明の効果】
【００１８】
本発明によれば、複数の杆状体を、外壁の高さ方向に沿って点在するとともに、頭部が外壁面から突出するようにして設けてから、竪樋本体を外壁側に押し込むことによって２本の突条間に被係止部を挿入するとともに、これら被係止部の側端部に係止部を引っ掛けるようにして、竪樋本体と、これら複数の杆状体とを係合させることができる。
すなわち、外壁に取り付けられた複数の杆状体に対して、係合手段を介して、竪樋本体を係合させるだけで、この竪樋本体を外壁に取り付けることができるので、従来に比して作業工程数を減らすことができ、作業性を向上させることが可能となる。
【図面の簡単な説明】
【００１９】
【図１】本発明の竪樋と、この竪樋の取付部分を示す拡大断面図である。
【図２】本発明の竪樋を外壁に取り付ける状態を示す斜視図である。
【発明を実施するための形態】
【００２０】
以下、図面を参照して本発明の実施の形態について説明する。
図１は本発明に係る竪樋の一例と、この竪樋の取付部分を示す拡大断面図である。
図１において符号１は、外壁を示す。この外壁１は、外壁パネル２と、この外壁パネル２の表面に貼設される透湿防水シート３と、この透湿防水シート３の表面に固定される胴縁４と、この胴縁４によって前記外壁パネル２との間に隙間をあけて取り付けられる外壁材５と、この外壁材５の表面に取り付けられる複数のタイル６，６…とを備えている。
【００２１】
ここで、前記外壁パネル２とは、縦横の框材が矩形状に組み立てられるとともに、矩形枠の内部に補助桟材が縦横に組み付けられて枠体が構成され、この枠体の両面に、面材が貼設されたものであり、内部中空な構造となっている。さらに、その内部中空な部分には、通常、グラスウールやロックウール等の断熱材が装填される。なお、図１中で示されている部分は、面材である。
【００２２】
また、前記胴縁４は、前記外壁パネル２と外壁材５との間に隙間を形成するだけでなく、後述する複数の杆状体２０，２０…を外壁パネル２に設ける際の下地としても利用される。
【００２３】
また、前記外壁材５の表面に取り付けられた複数のタイル６，６…は、図２に示すように、上下に隣り合うタイル６，６間の横目地６ａが、前記外壁材５の高さ方向に、略等しい間隔となるように配置されるとともに、左右に隣り合うタイル６，６間の縦目地６ｂが前記外壁材５の高さ方向に沿って不連続となるように配置されている。
ただし、この縦目地６ｂは、前記外壁材５の高さ方向に沿って断続的に配置されている。つまり、外壁１の高さ方向に沿って並ぶ縦目地６ｂ同士は同一直線上に配置されることになる。
【００２４】
このような外壁１に取り付けられる竪樋は、図１および図２に示すように、外壁１の高さ方向に沿って長尺な竪樋本体１０と、外壁１の高さ方向に沿って点在するとともに、頭部２０ａが外壁面から突出するようにして設けられる複数の杆状体２０，２０…と、これら竪樋本体１０と杆状体２０，２０…との間に設けられるとともに、これら竪樋本体１０と杆状体２０，２０…とを係合させる係合手段とからなる。
【００２５】
前記竪樋本体１０は、外壁１の高さ方向に沿って長尺な管状体であり、本実施の形態では、平断面視において、丸みを帯びた四角形状に形成されている。さらに、本実施の形態の竪樋本体１０は、アルミニウムを押出成形してなる押出成形品であるが、アルミニウムに限られるものではなく、その他の金属や樹脂等を押出成形してなる押出成形品を用いてもよいものとする。
また、図示はしないが、この竪樋本体１０の上端部には、横方向に設けられて雨水等を受ける雨樋が設けられるようになっている。
【００２６】
前記杆状体２０は、前記外壁1の外壁パネル２に向かって打ち込まれるようにして設けられるものであり、先端部２０ｂが徐々に細くなるように形成されている。
また、頭部２０ａは、杆状体２０の本体部分よりも大径に設定されている。
さらに、この杆状体２０の本体部分には、杆状体２０の打ち込み深さを把握するための目盛り２２が複数刻設されている。
【００２７】
前記係合手段は、図１に示すように、前記竪樋本体１０の長さ方向に沿って長尺に形成されるとともに、前記竪樋本体１０の側面に、互いに所定間隔離間するようにして突設される２本の突条１１，１１と、これら２本の突条１１，１１の内側面にそれぞれ突設されるとともに、これら突条１１，１１の長さ方向に沿って長尺に形成される係止部１２，１２と、前記杆状体２０，２０…の頭部２０ａ，２０ａ…に設けられるとともに、前記２本の突条１１，１１間に挿入されて、側端部に前記係止部１２，１２が引っ掛けられる被係止部２１，２１…とを備えている。
【００２８】
前記２本の突条１１，１１は、図１および図２に示すように、前記竪樋本体１０と一体形成されている。すなわち、これら２本の突条１１，１１はアルミニウム成形品であり、前記竪樋本体１０とともに押出成形によって成形されてなる。
また、これら２本の突条１１，１１の内側面にそれぞれ突設される係止部１２，１２も同様に、前記竪樋本体１０とともに押出成形されてなる。
【００２９】
さらに、これら２本の突条１１，１１の突出方向先端部には、これら２本の突条１１，１１の突出方向に沿って所定の長さ突出する突出片１３，１３がそれぞれ一体的に設けられている。つまり、これら突出片１３，１３も同様に、前記竪樋本体１０とともに押出成形されてなる。
そして、これら突出片１３，１３によれば、前記竪樋本体１０と外壁１との隙間から前記杆状体２０が見えてしまうことを防ぐことができる。
【００３０】
また、この突出片１３，１３の外側面は、前記突条１１，１１の外側面と面一になっており、前記突条１１，１１の突出方向先端部に、これら突出片１３，１３が設けられていることが外部から判別しにくくなる。
したがって、前記外壁１に取り付けられた複数の杆状体２０，２０…に対して、係合手段を介して、前記竪樋本体１０を係合させるだけで、前記竪樋本体１０と外壁１との隙間から見える前記杆状体２０を容易に遮蔽することができ、しかも、前記竪樋本体１０と外壁１との間における外観性を向上させることができる。
【００３１】
このように前記２本の突条１１，１１を始め、前記係止部１２や突出片１３を、前記竪樋本体１０と一体形成することによって、前記竪樋本体１０と、これら２本の突条１１，１１や係止部１２、突出片１３を別々に製造したり、施工現場などにおいて前記竪樋本体１０と、２本の突条１１，１１や係止部１２、突出片１３を接続したりする手間を省くことができる。
【００３２】
前記係止部１２は、図１に示すように、この係止部１２の突出方向先端部に位置する頂部１２ａと、この頂部１２ａを介して隣り合う第１および第２傾斜部１２ｂ，１２ｃとからなる。
さらに、前記第１傾斜部１２ｂは、前記突条１１の突出方向の先端部側に位置するとともに、前記第２傾斜部１２ｃの傾斜角度よりも緩やかな傾斜角度に設定されており、前記第２傾斜部１２ｃは、前記突条１１の突出方向の基端部側に位置するとともに、前記第１傾斜部１２ｂの傾斜角度よりも急な傾斜角度に設定されている。
【００３３】
すなわち、この係止部１２は、断面視において山型に形成されており、山の頂部１２ａを介して隣り合う斜面が、前記第１傾斜部１２ｂと第２傾斜部１２ｃとされている。そして、前記第１傾斜部１２ｂは緩勾配となるように設定されており、前記第２傾斜部１２ｃは急勾配となるように設定されている。
【００３４】
このように係止部１２が形成されることで、前記２本の突条１１，１１間に前記被係止部２１を挿入する際に、これら２本の突条１１，１１は、前記第１傾斜部１２ｂ，１２ｂの傾斜に沿って前記被係止部２１が挿入されるのに応じて、互いに離間する方向に撓むことになる。
この時、前記第１傾斜部１２ｂの傾斜角度が比較的緩やかに設定されているので、前記２本の突条１１，１１間に前記被係止部２１を挿入しやすくなる。
【００３５】
さらに、前記第１傾斜部１２ｂ，１２ｂの傾斜に沿って前記被係止部２１が押し込まれ、この被係止部２１が前記頂部１２ａ，１２ａを越えた後、この被係止部２１は、前記第２傾斜部１２ｃ，１２ｃの傾斜に沿って更に奥に挿入される。
この時、前記２本の突条１１，１１は、互いに離間する方向に撓んだ状態から元の状態に戻ることになる。
【００３６】
また、前記第２傾斜部１２ｃは、前記突条１１の突出方向の基端部側に位置するとともに、前記第１傾斜部１２ｂの傾斜角度よりも急な傾斜角度に設定されているので、前記竪樋本体１０を取り外す際に、前記２本の突条１１，１１は、前記第２傾斜部１２ｃ，１２ｃの傾斜に沿って前記被係止部２１が引き抜かれるのに応じて、互いに離間する方向に撓むことになる。
この時、前記第２傾斜部１２ｃの傾斜角度が比較的急に設定されているので、前記２本の突条１１，１１間から前記被係止部２１を引き抜きにくくなる。
【００３７】
前記被係止部２１は、図１に示すように、前記杆状体２０の頭部２０ａに取り付けられる板状の中央部２１ａと、この中央部２１ａの両側端部に設けられるとともに前記杆状体２０の長さ方向に沿って突出し、前記係止部１２，１２が引っ掛けられる突出部２１ｂ，２１ｂとを有することによって断面略コ字型に形成されている。
さらに、前記中央部２１ａと双方の突出部２１ｂ，２１ｂとの間に位置する角部２１ｃ，２１ｃはそれぞれ丸みを帯びている。
【００３８】
すなわち、この被係止部２１は、板状体の両側端部を直角方向に折り曲げて形成されたものであり、両側端部を前記突出部２１ｂ，２１ｂと称し、これら突出部２１ｂ，２１ｂ間に位置する平板部分を中央部２１ａと称している。
【００３９】
このような被係止部２１を用いれば、前記２本の突条１１，１１間に前記被係止部２１を挿入する際に、前記２本の突条１１，１１の係止部１２，１２を、前記角部２１ｃ，２１ｃの丸みに沿って摺動させることができ、前記２本の突条１１，１１間に、前記被係止部２１を、より挿入しやすくなる。
【００４０】
なお、本実施の形態の被係止部２１は、前記杆状体２０の頭部２０ａに対して、リベット留めされて固定されている。
すなわち、前記杆状体２０の頭部２０ａに、上部が開口する空洞部２０ｃを形成するとともに、前記被係止部２１の中央部２１ａの中心部分に、空洞部２０ｃよりも小径なリベット孔２１ｄを形成し、これら空洞部２０ｃおよびリベット孔２１ｄにリベット２３を挿入する。さらに、このリベット２３を、該リベット２３の挿入方向先端が前記空洞部２０ｃ内で潰れるように打ち込んでかしめることで、前記被係止部２１を、前記杆状体２０の頭部２０ａに固定できるようになっている。
ただし、この被係止部２１を前記杆状体２０の頭部２０ａに固定する方法は、これに限られるものではない。
【００４１】
なお、前記突条１１の基端部から、前記第２傾斜部１２ｃの、突条１１の基端部側端部までの長さは、この被係止部２１の中央部２１ａの上面から突出部２１ｂの先端までの長さと、前記中央部２１ａの上面から突出するリベット２３の頭部の大きさとを足し合わせた分よりも若干長くなるように設定されている。
このため、被係止部２１が係止された状態では、前記竪樋本体１０が、前記杆状体２０，２０…に対してガタつくようなことがない。
【００４２】
以上のような竪樋を、前記外壁１に取り付けるには、予め工場等において、前記複数の杆状体２０，２０…を、前記外壁１の高さ方向に沿って点在するとともに、頭部２０ａが外壁面から突出するようにして設けておくようにする。これによって、これら複数の杆状体２０，２０…を取り付けた状態で、パネル化した外壁１を現場へ搬送することができるので、現場での作業工程数を減らすことができ、作業性を向上させることができる。
【００４３】
なお、本実施の形態においては、前記複数の杆状体２０，２０…を前記外壁１に設ける際は、前記外壁材５の高さ方向に沿って断続的に配置された縦目地６ｂに取り付けることが望ましい。
これによって、これら複数の杆状体２０，２０…の一つ一つの取付位置が左右にずれてしまうことを防ぐことができるので、前記竪樋本体１０を前記杆状体２０，２０…に係合させる際に不具合が生じない。
【００４４】
そして、その後、施工現場等において、前記竪樋本体１０と複数の杆状体２０，２０…とを、前記竪樋本体１０を外壁１側に押し込むことによって前記２本の突条１１，１１間に前記被係止部２１，２１…を挿入するとともに、これら被係止部２１，２１…の側端部に前記係止部１２，１２を引っ掛けるようにして係合させる。
このような竪樋の取付方法によれば、施工現場では、前記突条１１，１１の弾性変形を利用して、特別な工具を用いることなく竪樋本体１０を取り付けることができるので、竪樋の取り付けに係る作業工程数を極端に少なくすることができるようになっている。
【００４５】
本実施の形態によれば、前記複数の杆状体２０，２０…を、前記外壁１の高さ方向に沿って点在するとともに、頭部２０ａが外壁面から突出するようにして設けてから、前記竪樋本体１０を外壁１側に押し込むことによって前記２本の突条１１，１１間に前記被係止部２１，２１…を挿入するとともに、これら被係止部２１，２１…の側端部に前記係止部１２，１２を引っ掛けるようにして、前記竪樋本体１０と、これら複数の杆状体２０，２０…とを係合させることができる。
すなわち、前記外壁１に取り付けられた複数の杆状体２０，２０…に対して、係合手段を介して、前記竪樋本体１０を係合させるだけで、この竪樋本体１０を前記外壁１に取り付けることができるので、従来に比して作業工程数を減らすことができ、作業性を向上させることが可能となる。
【符号の説明】
【００４６】
１  外壁
１０  竪樋本体
１１  突条
１２  係止部
２０  杆状体
２１  被係止部
【図１】
0005393357.tif 000002
【図２】
0005393357.tif 000003